(57)【要約】     【課題】  本願発明は、両眼や鼻の孔や口や耳の中に液剤が浸入して汚れる等、不愉快な思が有るので、少なくとも切り欠いた孔や線の内側に液剤を寄せ付けず、更に、目の不自由な方が貼り付け容易な、指先で触れて確認・表現できるパック用シートを提供する。    【解決手段】  平面体は、自然繊維と化学繊維の双方の繊維を有する１枚の不織布シートの引っ張る縦の方向に顔の鼻筋縦方向を合わせて打ち抜いて、顔面の両眼部や鼻部や口部や耳部に対向して切り欠かれた孔に液剤が侵入して汚すことを防ぐための溶着領域を設け、溶着領域設けられた両眼部や鼻部や口部や耳部のいずれか複数を組み合わせて、更に、パック用シートに、指で触れて顔への宛がいが容易な少なくとも１つのブラインド形状を有している。【選択図】図２
2018000972.tif 000002
【特許請求の範囲】
【請求項１】
自然繊維と化学繊維の双方の繊維を絡み合わせた１枚の不織布シートの引っ張る機械の方向に顔の鼻筋縦方向を合わせて平面体に打ち抜かれ密閉された包装体の内部に折り畳まれた状態で液剤に含浸されたパック用シートであり、
前記平面体は、顔面の少なくとも一部を覆い、前記顔面の両眼部や鼻部や口部や耳部に対向する切り欠き口を有し、１つ以上の前記切り欠き口において、前記平面体の前記液剤が前記切り欠き孔の内側へ侵入することを防ぐ溜め部が設けられ、前記溜め部は前記切り欠き孔周辺全周の前記化学繊維がシールされて帯状に連続して繋がる溶着領域であり、前記溶着された断面が複数の平行する波型であることを特長とするパック用シート。
【請求項２】
指で触れて顔への貼りつけが容易な少なくとも１つのブラインド形状をさらに有することを特長とする請求項１に記載のパック用シート。
【請求項３】
前記平面体は、それぞれ顔面の右側または左側部分を覆う２枚の不織布シートからなり、前記２枚の不織布シートが、顔面に接する表面の顔面の縦中心線に位置する端部同士が接するように、シール帯で繋ぎ合わされている、請求項１又は２に記載のパック用シート。
【請求項４】
前記側面視の前記シール帯は、前記平面体の額の真ん中から鼻筋縦の方向を経て下顎中央又は首元中央に備える中央帯を兼ねる請求項３に記載のパック用シート。
【請求項５】
前記平面体は、額上部から首元部までの縦の方向を横方向の任意に分けて、前記顔面に貼りつけられる請求項１又は２に記載のパック用シート。
【請求項６】
前記平面体は、前記顔面の少なくとも１つの凹部又は凸部に対向する領域に、前記顔面の鼻筋に沿って縦方向もしくはやや斜め方向のミシン目状の切り込み線を複数列有する請求項１又は２に記載のパック用シート。
【発明の詳細な説明】
【技術分野】
【０００１】
本発明は、溶着の領域を有するパック用シートに関する。
【背景技術】
【０００２】
従来品に、不織布シートで構成され、化粧用の薬液を含浸させて、顔面を覆い貼り付けるフェイスマスクがある。
【０００３】
加えて、不織布で構成された左右双方に耳部や機械の治具に掛け止めるためのフェイスマスクがある。
【０００４】
しかしながら以下の先行技術に、本願発明が開示する発明が記述されていない。
【０００５】
本願発明のパック用シートは、両眼部や鼻部や口部や耳部の切り欠いた孔の不織布シートの化学繊維を溶融させて自然繊維と固着させた溶着領域や溶着領域に備える溜め部によって液剤が目の中や鼻の孔や口の中や耳の中に浸入することを未然に防ぐものである。
【０００６】
更に、目の不自由な方も、パック用シートに指を触れることで、顔に容易に宛がうことができる相乗効果を得る発明である。
【０００７】
特開２００４−２６２９０１号の、パック用フェイスマスクシートに、顔面に対する液体の供給量が、特定の部分において他の部分と異なる、シートの厚さ、高吸収水性のポリマを有するパック用フェイスマスク。
【０００８】
特許第４４９２９８０号公報の、不織布の引っ張る縦の方向に鼻筋縦の方向を合わせて、ミシン目状の切込み線を複数列配して打ち抜かれるフェイスマスクがある。
【０００９】
特開２００９−０３９１６９号の、合成樹脂シートと不織布シートが合わされて接着されて、不織布シートが左右対称に面接触され周縁を剥離可能にシールされた化粧シートがある。
【００１０】
特許第５５８３７９９号公報の、第１のシート材と第2のシート材とを、人の顔の額から鼻頭までの間、鼻下から上唇の上方までの間、下唇の下方から顎先に至る間のそれぞれに対応する部分において、顔面の中央ラインの形状に沿うように、凹凸線状に接合したことを特徴とする立体フェイスマスク。
【００１１】
特開２０１０−０６９２８７号の、顔面の正中線に対向する縁部が互いに対象形状の左側シート及び右側シートからなり、端部は、外側に凸部となる形状を有し、接着した立体フェイスマスク。
【００１２】
国際公開第２０１４／１４０６６３号公報の、皮膚にプレッシャーを加える自然素材の不織布シートとポリオレフィン系の不織布シート複数を積層して、左右双方の端部に切り欠き部とシールされた領域を備えたフェイスマスクがある。
【００１３】
特開２０１４−０８７７１３号の、顔面の正中線に対向する縁部が互いに対象形状の左側シート及び右側シートからなり、〜内側面に接着材料を有し、所定の幅で互いに接着した立体フェイスマスク。
【００１４】
特開２０１５−０７１０８５号の、顔面の正中線に対向する縁部が互いに対象形状の左側シート及び右側シートからなり、〜内側面に接着材料を有し、所定の幅で互いに接着した立体フェイスマスク。
【００１５】
特許５７６８０４号公報の、左右双方の耳部に掛け止めるための端部を有するパック用シートがある。
【００１６】
フェイスマスクには、両眼や口に対抗する部分には切り欠き孔や鼻部に対向する部分は切り欠き線を設ける。更には、左右双方の縁部に左右双方の耳部に掛け止めるための切り欠き線を有する端部を設けて、これらシート体は刃型で打ち抜くことによって形成されて、美容液の含浸やシート体には美容効果が得られる原料を含ませられ構成される。
【先行技術文献】
【特許文献】
【００１７】
【特許文献１】特開２００４−２６２９０１号
【特許文献２】特許第４４９２９８０号公報
【特許文献３】特開２００９−０３９１６９号
【特許文献４】特許第５５８３７９９号公報
【特許文献５】特開２０１０−０６９２８７号
【特許文献６】国際公開第２０１４／１４０６６３号公報
【特許文献７】特開２０１４−０８７７１３号
【特許文献８】特開２０１５−０７１０８５号
【特許文献９】特許５７６８０４号公報
【発明の概要】
【発明が解決しようとする課題】
【００１８】
本発明が解決する課題は、パック用シートの、例えば、少なくとも顔の一部に貼りつけた際、両眼や鼻部や口部や耳部に対向させて設ける切り欠いた切り欠き孔の、切り欠きの縁を伝って、例えば、眼の中や鼻の孔や口の中や耳の中に液剤が浸入して汚れる等の不愉快な思いが有るので、液剤を寄せ付けず、貼り付けることができるパック用シートを提供する。
【００１９】
更に、視覚障碍者、高齢の方、眼鏡を外して貼りつけられる、目の不自由な方が貼り付け容易な、指先で触れて確認・表現できるブラインド形状を有するパック用シートを提供する。
【課題を解決するための手段】
【００２０】
自然繊維と化学繊維の双方の繊維を絡み合わせた１枚の不織布シートの引っ張る機械方向に顔の鼻筋縦方向を合わせて平面体に打ち抜かれ密閉された包装体の内部に折り畳まれた状態で液剤に含浸されたパック用シートであり、平面体は、顔面の少なくとも一部を覆い、顔面の両眼部や鼻部や口部や耳部に対向する切り欠き孔を有し、切り欠き孔のうち１つ以上の切り欠き孔において、切り欠き孔の切り欠かれた周辺の領域に、液剤が切り欠かれた縁を伝い侵入して汚すことを防ぐための、切り欠かれた周辺の化学繊維をシールで溶融させて自然繊維と絡ませた溶着領域が備えられていることを特長とするパック用シート。
好ましくは、更に、前記シート体に、指で触れて顔への宛がいが容易な少なくとも１つのブラインド形状を有することを特長とするシート体。
【発明の効果】
【００２１】
従来品を貼りつけた際、顔面の両眼部や鼻部や口部や耳部に対向する切り欠き孔から含浸されている液剤が、目の中や鼻の孔や口の中や耳の中に入り汚される。本願発明のパック用シートに、液剤の侵入を未然に防ぐことができる溶着領域を設け、更に溜め部を備えることで液剤を目の中や鼻の孔や口の中や耳の中に寄せ付けないので安心である。
【００２２】
加えて、パック用シートに、指で触れて顔への貼りつけが容易な少なくとも１つのブラインド形状を備えている場合は、誰もが安心しての美容方法と美容の効能効果が得られる。
【図面の簡単な説明】
【００２３】
【図１】平面視に構成されたパック用シートの平面図
【図２】図１の左右双方に耳掛部を有する平面図
【図３】自然繊維と化学繊維の双方を有する１枚の不織布シート
【図４】側面視に構成されたパック用シートの平面図
【図５】図４の左右双方に耳掛部を有する平面図
【図６】２枚の不織布シートで構成された枚葉のシート体
【図７】溶着領域の両面に波状を備える平面図
【図８】溶着領域の片面に波状を備える平面図
【図９】側面視を打ち抜く説明図
【発明を実施するための形態】
【００２４】
本願発明の実施形態は、平面視である1枚のパック用シート（以下、「シート体」という。）符号１に液剤が含浸された第１実施形態と第２実施形態である。
【００２５】
本願発明の、シート体を構成するための、不織布シートの打ち抜く工程の好ましくは、少なくとも１本の巻きロールの引っ張る機械の方向に顔の鼻筋縦の方向を合わせて不織布シートを打ち抜く（以下、「縦に抜く方法」という。）方法により打ち抜かれる。
【００２６】
不織布シートが持ち合わせている、縦の方向には伸びず、横幅の方向に延びる特性を利用できるから、双方を縦の方向に合わせて打ち抜いたシート体を顔に貼りつけると、顔の縦の方向に伸びず、顔の横幅方向に延びるから、貼りつけた際に、顔の縦方向の両眼と鼻の孔と口との位置がずれずに固定されて、横幅方向に延びてフィットさせながら貼りつけることができる。
【００２７】
第１実施形態の平面体は、図３の１枚の不織布シート符号１２で構成された1枚のシート体からなる平面視の図１、図２である。
【００２８】
第２実施形態の平面体は、図６の２枚の不織布シート符号１４の輪郭部をシールで繋ぎ合わせる１つの辺符号１３と、顔の鼻筋縦の方向とが合わされて宛がう1枚のシート体からなる側面視の図４、図５である。
【００２９】
第１と第２の、双方の実施形態に共通するＡの技術発明と、Ａの技術発明に任意に併用ことができるＢの技術発明やＣの技術発明やＤの技術発明を述べる。
【００３０】
Ａの技術発明は、顔面に対向するシート体に、複数の両眼部符号４や鼻部符号６や口部符号５や耳部符号１１の、切り欠かれた切り欠き孔や切り欠かれた切り欠き線（以下、「切り欠かき口」という。）が設けられており、液剤が少なくとも一つの切り欠き口の縁を伝い眼の中や鼻の孔や口の中や耳の中に侵入して汚されることを未然に防ぐ発明である。
【００３１】
本願発明は、貼りつけた際の、溶着領域以外の領域に存在する液剤が切り欠き口の縁を伝い眼の中や鼻の孔や口の中や耳の中に侵入して汚されることを未然に防ぐものであり、切り欠かき口の周囲の領域に高周波や熱と圧（以下、「シール」という。）を加えて化学繊維を溶融させて自然繊維と絡ませた、溶着された領域（以下、「溶着領域」という。）符号２１を備えている。
【００３２】
液剤が垂れるので、貼りつけた際の溶着領域は、切り欠き口の縁の、好ましくは、上半分の全体に、例えば、弧を帯状に有し、さらに好ましくは全周にわたって帯状に形成される。
【００３３】
加えて、切り欠き口に設けられた溶着領域にわずかな液剤の量を溜めるための、液剤が切り欠き口の溶着領域の縁を伝って眼の中や鼻の孔や口の中や耳の中への侵入を未然に防ぐための溜める部位を設けることができる。
【００３４】
液剤を溜める部位は、好ましくは切り欠き口の上側に位置する弧を描いた帯状の溶着領域に、さらに好ましくはすべての領域の帯状に設けられる。
【００３５】
両眼部に設ける蓋状のフラップなる形状にも本願発明が適用される。
【００３６】
溶着領域に液剤を溜める部位は、例えば、両眼部や鼻部や口部や耳部の、複数の切り欠き口の少なくとも１つに設けられた溶着領域の一部にわずかな液剤を溜める部位（以下、「溜め部」という。）を設ける。
【００３７】
溜め部は、溶着領域以外に存在する液剤が切り欠き口の縁を伝い眼の中や鼻の孔や口の中や耳の中に侵入して汚される状態を未然に防ぐ発明である。
【００３８】
溜め部の好ましくは、シール治具やプレス治具の両面または片方の面の少なくとも一部に、シート体の溶着領域を互いの治具が挟み、押し合わせて形成された図７の双方の面に溜め部符号１６を設ける、又は、図８の片方の面に溜め部符号１５とする。
【００３９】
すなわち、シート体の溶着領域の片面又は両面の一部に、複数の溝部や波部や凹部等の少なくとも１つの立体形状を備えるものである。例えば、シールする治具の双方の面が平らで、溶着されたシール状の領域は平らな面の溶着領域でも問題としない。例として、液剤の高い粘度やゼリー状等の場合。
【００４０】
Ｂの技術発明と用法は、Ａの技術発明にＢの技術発明である以下のブラインド形状によって視覚障碍者の方、高齢の方、眼鏡を外して貼りつける方等（以下、「目の不自由な方」という。）がシート体に触れて用法が容易に確認できるための、好ましくは指先で確認できる、例えば、立体形状や打ち抜かれた形状となる工夫をシート体に設けたものである。
【００４１】
ブラインド形状符号３は、目の不自由な方が、例えば、少なくとも１つ美容の用法が行えるための、少なくともシート体の一部に触れて用法の表現が確認できるための形状である。
【００４２】
ブラインド形状の、例えば、顔に貼りつけるシート体の、予め左右のつまみと以下の配置を定めておいて、左の額部分に対向する左の部位を左の指でつまみ、シート体の右の額部分に対向する右の部位を右の指でつまむことができる工夫の、予めシールで固められて摘まむことと貼り付ける位置を備えている。
【００４３】
更に、顔に貼りつけるシート体の、左の額部分に対向する左の部位を左の指先で引っ掛けて、右の額部分に対向する右の部位を右の指先で引っ掛けることができる工夫の、予めシールで固められた領域に、例えば、円、孔等が打ち抜かれている。
【００４４】
使用者が顔に貼りつけるための、例えば、双方の指で、左の輪郭部を摘まみ、右の輪郭部を摘まみ、双方を摘まんだときに左と右の位置の水平バランスが読みとれて、シート体の左の輪郭部と左の額、右の輪郭部と右の額とを顔に宛がいやすく、シート体の少なくとも一部に、例えば、上部の左右輪郭部に熱シールで固めた文字や印や打ち抜き形状やつまみ部等を設ける。ブラインド形状をシート体の輪郭部の内側に設けても問題としない。
【００４５】
ブラインド形状の形態は、製作者がシート体を任意に企画して使用者に提供するが、本願発明が採用する自然繊維と化学繊維の双方を有する不織布シートのシート体に、既含浸の薬事の有効期間３ヶ年においても表現するための形状が保持されるものである。
【００４６】
表現するための形状は、指先等で触れて確認できて、指先で摘まむ等して顔に貼り付けるための、シート体に有する化学繊維をシール加工によって固めた形状とする、もしくは、シート体の固めた領域を打ち抜いた形状とする、或は、シート体に有する化学繊維に熱等で固められて凹凸等に加工できる樹脂を新たに加える、等々を輪郭部や片方の面又は両方の面に設けた形態である。
【００４７】
例えば、両眼部等の溶着領域に備える溜め部の形状がブラインド形状として、目の不自由な方が容易に顔に貼りつける用法ができれば流用しても問題としない。
【００４８】
目の不自由な方が確認できるための、シート体を封入した包装袋のシール部を通常よりも大きく備えて、開け口等の印を設ける。更には、包装袋を封入している包装の箱には触れて表現が確認できる凹凸などの文字を設けるとよい。
【００４９】
Ｃの技術発明と用法は、Ａの技術発明にＣの技術発明の矯正機能やリフティング機能を継続させる工夫を設けたものである。Ｂの技術発明を加えることは任意である。
【００５０】
例えば、図１、図４の、シート体の矯正機能は、右の縁部符号２２と左の縁部符号２３を摘まみ、右の縁部は右の方向に左の縁部は左の方向の違う方向に引っ張っても、切り欠き口に少なくとも溶着した溶着領域を備えているので、切り欠き口形状の変形の度合いが低く、更に、縦に抜く方法によって不織布シートの横方向が顔に貼り付けた際、顔の横幅方向に延びるので、切り欠き口近傍の肌に矯正感を与える相乗の効果が得られる。
【００５１】
加えて、図２、図５の、シート体のリフティング機能は、シート体の、右縁部と左縁部に矯正する状態やリフティングする状態を継続させるための、左右双方の縁部に少なくとも１組の、左右双方の耳部に掛け止めるための少なくとも１つの切り欠き孔又は１本の切り欠き線を備える端部を左右双方の耳部に掛け止める。切り欠き口の変形は、溶着領域を有しているので変形の度合いが低い。
【００５２】
溶着領域を設けた口部と左右双方の耳部の溶着領域との相乗効果は、左右双方の溶着領域を備えた耳部を左右双方の耳に掛け止めても、溶着領域を設けた口部は横方向には伸び広がらず、右耳部の溶着領域と溶着領域を設けた口部との間と左耳部の溶着領域と溶着領域を設けた口部との間が縦に抜く方法により横方向に延び広がるから、不織布シートの延び広がりに対向している肌にフィット感と矯正感とリフトアップ感を与えながら美容の効果が継続できる。
【００５３】
例えば、シート体に設けられた、両眼部、鼻部、口部、耳部の溶着領域の一部を押さえながら、押さえている位置と反対方向の縁部をつまんで内側方向から外側方向に引っ張ることで、シート体に対向している肌に矯正の体感が得られる。
【００５４】
Ｄの技術発明と用法は、Ａの技術発明にＤの技術発明のシート体を顔に貼りつける際の目印となる工夫を設けたものである。Ｂの技術発明やＣの技術発明を加えることは任意である。
【００５５】
Ｄの技術発明と用法は、Ａの技術発明にＤの技術発明を併用するシート体を顔に貼りつける際の、顔面に対向するシート体の、額の真ん中から鼻筋を経て下顎真ん中、首元真ん中までの縦の方向に、シート体を顔に貼りつける際の目印となる中央帯なるゾーンを、例えば、熱シール、熱や押し型によるドット、能書に書き入れる等（以下、「中央帯」という。）符号７を設けて、中央帯が顔に貼り付ける際の目安の複数の用法が得られる。目の不自由な方にもブラインド形状として重宝である。
【００５６】
更に、シート体に複数のドットを設けるとシート体の強度アップを図ることができるので、ドットを有する面とドットを有する以外の面とを比べ、ドットを有する面が部分的にシート体の強度がアップするから、引っ張って矯正の美容効果を高めることができる。
【００５７】
シート体を顔に貼りつける際の、熱シールを設けた中央帯の有利は、例えば、左右双方の縁部や左右双方の端部を違う外側方向に引っ張っても、例えば、溶着領域を備える左右双方の目頭と目頭の間の距離の広がりは、中央帯がシールされていることから、横幅方向への広がりの度合いが低く、左右双方の目頭と目頭の間の距離の安定に繋がり、肌にフィットした状態が保たれる。
【００５８】
更に、縦に抜く方法に備える中央帯の有利は、中央帯を押さえながらシート体の縁部やシート体の左右双方に設ける端部を引っ張ることで、シート体が顔の幅方向に延び広がるから、矯正を一時的に体感させる。
【００５９】
或は、左右双方の耳部に掛け止めるシート体の中央帯を押さえながら、左右双方の耳部に掛け止める溶着領域を備えた端部を外側方向に引っ張り、シート体が顔の幅方向に延び広がるから、左右双方の端部を左右双方の耳部に掛け止めてフィット感や矯正感やリフティング感を継続させる。矯正やリフティングの美容効果を期することができる。
【００６０】
本願発明のシート体を構成する不織布シートは、自然繊維と化学繊維の双方の繊維が混合されて、例えば、カーディングの工程によって１枚の不織布シートに構成されている。
【００６１】
シート体の、上述の切り欠き口に、溶着領域と溶着領域の一部に溜め部を備え、それぞれ複数の組み合わせを実施することで相乗効果を得ることができる例を、全ての切り欠き口、３ヶ所の切り欠き口、２ヶ所の切り欠き口の順に述べる。更に、ブラインド形状や矯正機能やリフティング機能、更に、中央帯を組み合わせると美容の効果をより期することができる。
【００６２】
全ての切り欠き口の、両眼部や鼻部や口部や耳部に溶着領域と溶着領域の少なくとも一部に溜め部を備えるシート体を顔面に貼りつけて、左右双方の縁部や耳に掛け止めるための端部を違う方向に引っ張る用法において、シート体の両眼部や鼻部や口部や耳部の形状が安定して保持されて、溶着領域以外の領域が縦に抜く方法によって顔の横幅方向に延びてフィットされるものである。
【００６３】
併せて溶着領域以外の液剤が溜め部によって眼の中、鼻の孔、口の中、耳の中へ侵入して汚すことを未然に防ぐことができる。目の不自由な方が誤って少々引っ張っても、溶着の領域があるから従来品よりも形状の安定が図られる。
【００６４】
３ヶ所の切り欠き口の、例えば、シート体の、耳部と両眼部と鼻部に溶着領域と溶着領域を設ける少なくとも一部に溜め部を備える相乗効果は、左右双方の耳に掛ける端部の互いを違う方向に引っ張り矯正された状態において、耳部と両眼部と鼻部の形状が安定して保持されて、縦に抜く方法で耳部と両眼部と鼻部と左右双方の耳に掛け止める端部との間の領域が横方向に延びてフィットされる。
【００６５】
併せて、溶着領域以外の液剤が溜め部によって耳の中や目の中や鼻の孔に侵入して汚すことを未然に防ぐことができる。
【００６６】
３ヶ所の切り欠き口の、例えば、シート体の、耳部と両眼部と口部に溶着領域と溶着領域を設ける少なくとも一部に溜め部を備える相乗効果は、左右双方の耳部に掛ける端部の互いを違う方向に引っ張り矯正された状態において、耳部と両眼部と口部の形状が安定して保持されて、縦に抜く方法で耳部と両眼部と鼻部と、シート体の縁部や左右双方の耳に掛け止める端部との間の領域が横方向に延びてフィットされる。
【００６７】
併せて、溶着領域以外の液剤が溜め部によって耳の中や眼の中や口の中に侵入して汚すことを未然に防ぐことができる。
【００６８】
３ヶ所の切り欠き口の、例えば、シート体の、耳部と鼻部と口部に溶着領域と溶着領域を設ける少なくとも一部に溜め部を備える相乗効果は、左右双方の耳部に掛ける端部の互いを違う方向に引っ張り矯正された状態において、耳部と鼻部と口部の形状が安定して保持されて、縦に抜く方法で耳部と鼻部と口部と、シート体の縁部や左右双方の耳に掛け止める端部との間の領域が横方向に延びてフィットされる。
【００６９】
併せて、溶着領域以外の液剤が溜め部によって耳の中や眼の中や鼻の孔に侵入して汚すことを未然に防ぐことができる。
【００７０】
２ヶ所の切り欠き口の、例えば、シート体の、耳部と両眼部に溶着領域と溶着領域を設ける少なくとも一部に溜め部を備える相乗効果は、左右双方の耳に掛ける端部の互いを違う方向に引っ張り矯正する用法において、耳部と両眼部の形状が安定して保持されて、縦に抜く方法で両目尻と左右双方の耳に掛け止める端部との間の領域が横方向に延びてフィットされる。
【００７１】
併せて、溶着領域以外の液剤が溜め部によって耳の中や眼の中に侵入して汚すことを未然に防ぐことができる。
【００７２】
２ヶ所の切り欠き口の、例えば、シート体の、耳部と鼻部に溶着領域と溶着領域を設ける少なくとも一部に溜め部を備える相乗効果は、左右双方の耳に掛ける端部の互いを違う方向に引っ張り矯正された状態と、耳部と鼻部の形状が安定して保持されて、縦に抜く方法で鼻部とシート体の左右双方の耳に掛け止める端部との間の領域が横方向に延びてフィットされる。
【００７３】
併せて、溶着領域以外の液剤が溜め部によって耳の中や眼の中に侵入して汚すことを未然に防ぐことができる。
【００７４】
２ヶ所の切り欠き口の、例えば、シート体の、耳部と口部に溶着領域と溶着領域を設ける少なくとも一部に溜め部を備える相乗効果は、左右双方の耳に掛ける端部の互いを違う方向に引っ張り矯正された状態において、耳部と口部の形状が安定して保持されて、縦に抜く方法で口部の両端部と左右双方の耳に掛け止める端部との間の領域が横方向に延びてフィットされる。
【００７５】
併せて、溶着領域以外の液剤が溜め部によって耳の中や口の中に侵入して汚すことを未然に防ぐことができる。
【００７６】
シート体に設ける切り欠き口の、切り欠き口２ヶ所の溶着領域と溶着領域を設ける少なくとも一部に溜め部を備える相乗効果は、縁部の互いを違う方向に引っ張り矯正された状態において、２ヶ所の切り口の形状が安定して保持されており、縦に抜く方法により、顔の横幅方向の領域が横方向に延びてフィットされる。
【００７７】
美容用法の、リフティング機能と効果を継続させる図２、図５の仕様は、シート体の左右双方の縁部に少なくとも１組の耳に掛け止めるための少なくとも１つの切り欠き孔を備える端部を設けて、左右双方の耳に左右双方の端部を掛け止めればよい。
【００７８】
耳に掛け止めるフリーサイズとするための仕組みは、少なくとも１つからなる切り欠き孔に切り残し部と切り欠き孔を設ける。
【００７９】
本願発明の図１、図２、のシート体は、図３に説明の１枚の不織布シートが打ち抜かれて構成されたシート体を顔にあてがうものである。
【００８０】
図４、図５のシート体は、図６に説明の、少なくとも2本の不織布ロールから縦方向に引き出される、少なくとも２枚の不織布シートの、互いの引っ張り方向が並列の並びであり、互いのシートの繊維の向き方向の並びが並列の状態である。
【００８１】
互いの不織布シートの縁部と縁部が鼻筋縦の方向と合わせた１辺符号１３であり、１辺に有する互いの化学繊維を熱で溶融させて溶着して繋ぎ合わされた帯状のシール帯を備えている。
【００８２】
少なくとも２枚に並び前記不織布シートの縁部と縁部がシールで繋ぎ合わされて枚葉に広げられる側面視の形態である。
【００８３】
帯状のシール帯は、中央帯の役割も兼ねている。
【００８４】
本願発明は、不織布シートと不織布シートが積層された積層体ではない。
【００８５】
従来品の積層による積層体のフェイスマスクは、複数の不織布シートが重なり、少なくとも１箇所を熱や糊等で複数の不織布シートを１枚のフェイスマスクとする、例えば、互いが剥がれることなく薬事に効果に期する薬事製品の一体化に接着されて、固定された状態のいずれかの面を用法の能書に従い顔にあてがう。
【００８６】
薬事の当該製品は、複数の不織布シートがばらけることなく単体（一体化）での裏付けデーターによる効能効果を定めて、定められた用法によっての効能効果が求められているから、例えば、剥がして使用する等の用法は、効能効果に裏付けの安全性・安定性などが無い。
【００８７】
本願発明の図６の図４と図５は、従来品の積層と積層体とは異なる。
【００８８】
複数枚の不織布シートの縦方向に引っ張る方向が同じ向きであり、双方の不織布シートの繊維の並びは同じ方向に並ぶ。１枚毎の不織布シートの縁部と縁部とが溶着によって並列様式で並ぶ枚葉である。
【００８９】
１枚の不織布シートに鼻筋縦の方向と同じの並びで繋ぎ合わされて、枚葉の状態を、顔に貼りつける用法によって効能効果が得られる。
【００９０】
例えば、本願発明の、互いの不織布シートシートの互いの縁部が溶着された１辺の領域を鼻筋縦の方向にあてがう中央帯は、中央帯を支点として、中央帯と反対の方向の縁部の、互いの不織布シートと不織布シートとの縁部が相反する方向に開けて顔にあてがう用法である。
【００９１】
すなわち、繋ぎ合わされた単なる中央帯の領域は、肌に貼りつけての、効能効果を有しない繋ぎであり、従来品が示す積層や積層体ではない。
【００９２】
加えて、１枚の不織布シートに自然繊維と化学繊維の双方の繊維を有するシート体の本願発明は、従来品の発明である、互いの不織布シートの縁部を合わせて貼り付けるための、例えば、縫製や糊や熱シールの、接着強度やシール速度を促進するための樹脂の粉末や繊維等の接着のための補助剤は使用しないことが好ましい。
【００９３】
不織布の目付のかなり低い、例えば、３０ｇ／ｍ２程度の不織布シートは、横方向にはかなり弱く、大きく延び広がるので、不織布シートの縦の方向を顔の横幅方向に合わせて打ち抜いて、両眼部や鼻部や口部等に溶着領域を施すと、貼り付けた際の、顔の鼻筋方向には、不織布シートが伸びすぎることの軽減に繋がるので、目と口の位置が大きくずれること無く顔の貼り付けることができる。
【００９４】
本願発明の溶着領域の液剤の含浸は、溶着領域以外のシート体には通常の含浸率による液剤の含浸量が存在する。溶着領域には以下の事例に示す通りに、自然繊維が存在することによって、わずかな液剤が自然繊維に含浸されていることから、少なくとも溶着領域の面にも液剤が存在する。
【００９５】
「溶着領域の、自然繊維には極僅かに液剤を有している」は、公知の薬事試験の事例の、樹脂フィルムシート／自然繊維の不織布シート／樹脂フィルムシートを構成する包装体の内部に液剤を設け、周囲をシールで密閉する包装体の、薬事の有効期間３ヶ年間に値する薬事試験において、辺の裁断部に自然繊維の不織布シートが現れているから、自然繊維が液剤を含浸して伝い外部に滲出させて、当初の充填量が規定容量内に保持できない、薬事の製品に満たない事例が存在する。
【００９６】
すなわち、本願発明の溶着領域の、自然繊維には液剤が含まれている。
【００９７】
加えて、本願発明の溶着領域の自然繊維含浸率は、自然繊維と化学繊維の双方の繊維を有する化学繊維が熱で溶融させられて、熱シール等の治具によって溶着させられて、自然繊維が圧縮された状態で化学繊維の溶融と絡まった状態であり、溶着領域の自然繊維の液剤の含浸率は、溶着領域を有しないよりもかなり低い状態で、自然繊維に液剤が含浸されている。
【００９８】
溶着領域の面は、液剤の原料と少なくとも３ヶ年間の期間接触するから、或は、量産工程から溶着領域の面は全て化学繊維の溶融物と限らず、自然繊維もあるから少なくとも一部の面にも液剤は付着する。すなわち、溶着領域に付着した液剤を指部で欠き取り、顔面に貼り付けるとよい。
【００９９】
更に、溶着領域に付着した液剤を指部で欠き取った後の、溶着領域以外からの液剤が溶着領域を越えて切り欠き孔の縁を伝い液剤が移行することについては、例えば、貼り付けている使用の例は、１５分と短い時間なので問題としない。
【０１００】
これらの対処は、液剤が浸入する不愉快な事例を防ぐための、従来品の裏面等の能書に、例えば、使用の注意事項として、眼の中や鼻の孔や口の中や耳の中に液剤が浸入した場合の不愉快な思いの対処方法の例を示している。
【０１０１】
例えば、なまぬるいお湯などですぐに洗い流す。や専門医に相談をする等が記載されている。
【０１０２】
本願発明のシート体に、少なくとも顔の一部を覆うための輪郭線符号１０を設け、額部符号２を設け、両眼に対向する切り欠き孔を設け、呼吸するための鼻の穴部には少なくとも１つの穴部やＵ字型の切り欠き線を設け、左右双方の鼻翼から鼻尖を経て鼻翼を結ぶ直線又は鼻部下端の曲線に沿った切り欠き線を設け、口部には少なくとも１つの切り欠きの楕円孔や小孔や多角の穴を設ける。
【０１０３】
シート体には目の不自由な方にも美容の用法ができるための、指で触れて確認できる、例えば、好ましくは、左右双方に、指先等が触れるもしくは引っ掛ける等の、シート体に左右のバランスが取れて、顔に貼りつけられる凹凸の立体形状や切り欠き線等を設ける。これら、シート体は、熱シールの治具や溶断や刃型で形成される。
【０１０４】
第一実施形態は、図１の少なくとも顔の一部に貼り付けて覆うことができるシート体であり、図２は図１の左右双方の縁部に、少なくとも１組の左右双方の耳部に掛け止めるための少なくとも１つの切り欠き孔を備えた端部符号１１を有している。
【０１０５】
図１と図２は、図３の自然繊維と化学繊維の双方の繊維を有する１枚の不織布シートで構成された平面視のシート体である。
【０１０６】
第二実施形態は、図４の左右双方の縁部に、図５の少なくとも１組の左右双方の耳部に掛け止めるための少なくとも１つの切り欠き孔を備えた端部を有している。
【０１０７】
図４と図５は、図６の自然繊維と化学繊維の双方の繊維を有する２枚の不織布シートの互いの縁部を熱で溶融して溶着することで構成された側面視のシート体である。
【０１０８】
本願発明の、側面視の、図４の少なくとも２枚からなる不織布シートで構成するパック用シート符号２４は、顔の側面視（例えば、側面から見た、額部、眼部、鼻部、ほほ部、口部、顎部、喉部や首元部の少なくとも一部の部位を備えた形状）である。
【０１０９】
縦に抜く方法の、少なくとも２本の不織布シートのロールから引っ張り出す縦の方向（機械方向）と鼻筋縦の方向を合わせて、顔の側面視を構成して、更に、首元部に至る形状である。
【０１１０】
図５は、図４の左右双方の縁部に少なくとも１組の左右双方の耳部に掛け止めるための少なくとも１つの切り欠き孔を備えた端部を設ける。
【０１１１】
側面視の有効な実施の例は、シート体の額のから鼻筋縦の方向を経て首元部を結ぶ真ん中のシール帯を鼻筋縦の方向に貼りつけながら、左縁部と右縁部を同時に左の耳部近傍と右の耳部近傍に矯正的に引き上げ続けると、本願発明の抜き方法が、鼻の縦方向に対して右と左の方向に延びることからスムーズに、例えば、雪国の子供が藁で作られた帽子を頭からすっぽり被るが如く装着して、立体形状の顔面にフィットして貼り付けられるものである。顔にあてがう目安のシール帯は中央帯を兼ねている。
【０１１２】
更に、側面視の形態の左右双方の端部に左右双方の耳部に掛け止めるための、少なくとも１つの切り欠き孔を備えた端部を設けて左右双方の耳部に掛け止めることで、美容の効果を継続する用法が行える。
【０１１３】
本発明の、少なくとも一部の顔を覆う平面視の、顔面から首元部までの領域を任意に覆うシート体の形態を、例えば、６つのタイプの平面体に打ち抜かれ構成される例を記述する。側面視となる縦や横のサイズ、更には、耳部に掛け止める仕様は企画で考慮されたい。
【０１１４】
例えば、シート体の形態は、ほぼ顔を覆う額の上部から下顎部分まで凡そ１９０ｍｍ、左の頬部の縁部から右の頬部の縁部までは凡そ２１０ｍｍ、の形状である。
【０１１５】
例えば、シート体の形態は、ほぼ顔を覆う額の上部から下顎裏部分まで凡そ２１０ｍｍ、左の頬部の縁部から右の頬部の縁部までは凡そ２１０ｍｍ、の形状である。
【０１１６】
例えば、シート体の形態は、ほぼ顔を覆う額の上部から左右双方のほほ部を経て喉部分まで凡そ２４０ｍｍ、左の頬部の縁部から右の頬部の縁部までは凡そ２１０ｍｍの形状である。
【０１１７】
例えば、シート体の形態は、ほぼ顔を覆う額の上部から左右双方のほほ部を経て首部分まで凡そ２６０ｍｍ、左の頬部の縁部から右の頬部の縁部までは凡そ２１０ｍｍ、の形状である。
【０１１８】
例えば、シート体の形態は、ほぼ顔を覆う額の上部から左右双方のほほ部を経て首元部分まで凡そ２８０ｍｍ、左の頬部の縁部から右の頬部の縁部までは凡そ２１０ｍｍ、の形状である。
【０１１９】
例えば、セパレーツ型のシート体の形態は、額の上部から左右双方のほほ部から頸部までの凡そ２００ｍｍ〜２８０ｍｍ、を鼻筋縦の方向に対して横の方向となる、上部分と下部分に任意に分けて覆う形態である。
【０１２０】
側面視の打ち抜きの説明図を図９に示す。
【０１２１】
少なくとも１本の不織布ロールから引き出された不織布シートの互いの縁部を繋ぎ合わせるので、例えば、符号１７の不織布ロールと符号１８の不織布ロールとが符号１９の引っ張る縦の方向に引き出されて、シールで互いの不織布シートと不織布シートの双方の化学繊維が、少なくとも互いの一部の化学繊維が溶融して自然繊維と絡まる状態で溶着されている。
【０１２２】
シール帯は２枚の不織布シートの額から鼻筋縦方向を経て下顎中央部に沿った形状に合わされて形成されるものである。刃型や溶断で形成される。
【０１２３】
本願発明の不織布シートは、例えば、自然繊維のコットンやテンセルやパルプ等と化学繊維のポリエチレン、ポリエステルフタレート、ポリプロピレン等の、双方の繊維を有し、不織布シートの目付１０〜１２０（ｇ／ｍｍ２）を用いるとよい。
【０１２４】
自然繊維と化学繊維の双方の繊維を有する化学繊維の割合は、熱伝導と溶融と溶着を左右する。
【０１２５】
例えば、量産のスピード、液剤の粘度、液剤の処方、薬事の試験等の条件によって決めるとよい。自然素材の、肌への効果がある、例えば、炭等を練り込むとい。不織布シートの種類や目付等の選択、加工は任意である。
【０１２６】
液剤は、薬剤である化粧品、医薬部外品、医薬品の効能効果が得られる、液状、クリーム状、パウダー状、ペースト状等である。
【０１２７】
薬剤以外の材料は、例えば、「冷感（体温、かぜ熱を下げる）：小麦粉＋水」、「温感、発汗（体温を上げる）：唐辛＋小麦粉＋水」、「美容（野菜）パック：キュウリのスライスパック」、「泥（クレイ）：泥パック」「炭の粉：皮脂や汚れや古い角質の吸着や臭いの吸着パック」等であり、薬事にふくまれない原料である。
【０１２８】
本願発明のシート体と液剤との封入は、例えば、バリアを有する袋、チャック機能を有する袋、フラップなる蓋を有する袋や樹脂容器等（以下、包装体という）に封入されるとよい。シート体はドライの状態で包装体に封入されてもよい。
【０１２９】
パック用シートの折り畳みの方法は、例えば、左右対称の鼻筋縦軸を中心にして、左右双方の縁部と縁部を左右二つに折り合わせて、鼻筋縦軸の辺を設け、辺の長手方向の、額上部と下顎部とが長手方向と交差する任意の線で折り重なり畳まれる。取り出した際の展開が容易である。
【０１３０】
包装体に封入される際の、上述の折り合わせの、折り合わせた顔の縁部の部位と鼻筋縦軸の辺を少なくとも１回折り合わせる折り畳みの工程を加えるとより包装袋への封入が容易である。
【０１３１】
本願発明のシート体に設ける両眼は、両眼に対応する箇所には長軸が顔面の横方向である切り欠き孔を設け、又は両眼に対応する個所に両眼を覆う蓋状体を有し、蓋状体は、目尻付近と目頭付近とを結ぶ連続した切り欠き線又は一部不連続部を有する切り欠き線により形成されるフラップを設ける。
【０１３２】
シート体に設ける切込み線符号８と切り残し部符号９の線は、貼り付ける際に切り込み線で両断して設けられた互いの片が互いもつれることなく、貼り付ける際に切り残し部を千切りながら順序良く貼り付けると少なくとも数多くの人たちへの、サイズ合わせができて作業性が向上する。
【０１３３】
シート体の周縁部にスムーズに貼り付けるための少なくとも１つのつまみ部を任意に設けてもよい。
【０１３４】
不織布シートの、縦に抜く方法による不織布の横方向に広がる特性に加えて、少なくとも１つの凹部又は凸部に対向する領域に、顔面の鼻筋に沿って縦方向もしくはやや斜め方向のミシン目状の切り込み線を複数列設けると、双方の特長が相俟って、顔の横幅の方向に延び広がらせてよりフィットさせて覆い貼り付けることができる。
【０１３５】
医療目的の、例えば、治癒シートや湿布シート等の形態や技術は、本発明の形態や技術に準ずるとよい。
【０１３６】
本願発明に加えて、本願発明の出願人が既に出願した特許第４３５２４１６号公報、特許第４９９５９８１号公報、特許第５０６６７２２号公報、特許第５４５７５１５号公報の、基剤を含んだシートを採用する、或は、樹脂フィルムを採用するシート体の、片面または両面に樹脂フィルムや不織布等を備えて構成するシート体を用い、貼り付けることができる技術と併せることでより使用性が増すので何ら問題としない。
【実施例】
【０１３７】
本願発明の切り欠き口に溶着領域、もしくは、溶着領域に溜め部を備えて、眼の中や鼻の孔や口の中や耳の中等の、少なくとも一部の部分に液剤の浸入を防止するため機能を備えている。
【０１３８】
液剤が溶着領域や溜め部にわずかに有るので、指部やテッシュ等で取り除いて顔に貼り付ける。
【０１３９】
矯正しながらの美容効果を期する実施例は、シート体の、左の縁部を左の指でつまみ、右の縁部を右の指でつまみ、シート体の左右対称の真ん中の中央帯を見ながら、額から鼻筋を経て下顎中央にあてがうようにして、左と右を同時に左右双方の耳の近傍に引き上げる。
【０１４０】
リフトアップしながらの美容効果を期する実施例は、シート体の、右の端部に右の指を掛けて、左の端部に左の指を掛けて、シート体の左右対称の真ん中の中央帯を見ながら、額から鼻筋を経て下顎中央に貼りつけるようにして、左と右を同時に左右双方の耳の近傍に引き上げて、左右双方の耳に左右双方の端部を掛け止める。
【０１４１】
目の不自由な方の美容効果を期する実施例は、包装体のシール部に用法を表現する形態を確認し、シート体に備えるブラインド形状の、例えば、輪郭線の左右双方に備えられた化学繊維を溶融させて固めた或は、固めた面を打ち抜いた形状を指で確認しながら左のつまみを左の額に、右のつまみを右の額に宛てつけて、同様に貼りつけるとよい。
【０１４２】
例えば、左右双方の縁部に左右双方の耳部に掛け止めるための端部を有するシート体は、右の端部に右の指を掛けて、左の端部に左の指を掛けて、シート体の左右対称をバランスで確認しながら、下顎中央に貼りつけるようにして、左と右を同時に左右双方の耳の近傍に引き上げて、左右双方の耳に左右双方の端部を掛け止める。
【０１４３】
貼りつける時間は凡そ１５分程度が目安であり、包装体に記載された美容の用法に準ずる。
【符号の説明】
【０１４４】
１    平面視のパック用シート
２    額
３    ブラインド形状
４    両眼部
５    口部
６    鼻部
７    中央帯
８    切込み線
９    切り残し部
１０    輪郭線
１１    耳部
１２    １枚の不織布シート
１３    １辺
１４    ２枚の不織布シート
１５    片面の波状
１６    両面の波状
１７    不織布ロール
１８    不織布ロール
１９    引っ張る縦方向
２０    横幅方向
２１    溶着領域
２２    右の縁部
２３    左の縁部
２４    側面視のパック用シート
【図１】
2018000972.tif 000003
【図２】
2018000972.tif 000004
【図３】
2018000972.tif 000005
【図４】
2018000972.tif 000006
【図５】
2018000972.tif 000007
【図６】
2018000972.tif 000008
【図７】
2018000972.tif 000009
【図８】
2018000972.tif 000010
【図９】
2018000972.tif 000011